(57)【要約】【課題】記録読取複合機において受光部でのノイズを低減する。【解決手段】原稿を光学的に読み取る読取ユニット、および、読取ユニットの下方に配され、被記録物にインクを吐出して記録を行う記録ユニットを備える記録読取複合機であって、記録ユニットの電位差発生手段は、読取ユニットの受光部から、水平面内において離間して配される。さらに、電位差発生手段は、読取ユニットの受光部から、鉛直面内において離間して配されてもよい。【選択図】図１１
2008085389.tif 000002
【特許請求の範囲】
【請求項１】
原稿を光学的に読み取る読取ユニット、および、前記読取ユニットに対して上方または下方に配され、被記録物にインクを吐出して記録を行う記録ユニットを備える記録読取複合機であって、
前記読取ユニットは、
原稿に光を投射する投光部と、
原稿からの光を受けて電気的信号に変換する受光部と
を有し、
前記記録ユニットは、
開口を有する導電性のノズルプレートを有し、前記開口から前記被記録物の表面に向かってインクを吐出する記録ヘッドと、
前記被記録物を挟んで前記ノズルプレートに対向した位置に配置され、前記被記録物の裏面に当接して前記被記録物を支持するプラテンと、
前記開口からのインクの吐出方向について前記被記録物よりも遠方に、前記ノズルプレートに対向して配置され、前記開口から噴射されながら前記被記録物に付着しなかった液体を吸収する吸収部材と、
前記吸収部材に隣接して配置された電極と、
接続ケーブルを介して前記電極に結合され、入力電圧よりも大きい電圧を前記電極に対して印加して前記ノズルプレートおよび前記電極の間に電位差を発生させる電位差発生手段と
を有し、
前記記録ユニットの前記電位差発生手段は、前記読取ユニットの前記受光部から、水平面内において離間して配される記録読取複合機。
【請求項２】
前記記録ユニットの前記電位差発生手段は、前記読取ユニットの前記受光部から、鉛直面内において離間して配される請求項１に記載の記録読取複合機。
【請求項３】
前記読取ユニットは、前記受光部を搭載し、前記原稿に対して走査するキャリッジ、および、前記キャリッジを駆動する駆動部をさらに有し、
前記記録ユニットの前記電位差発生手段は、水平面内について、前記読取ユニットの前記キャリッジの走査に伴って前記受光部が移動する領域から離間して配される請求項１に記載の記録読取複合機。
【請求項４】
前記記録ユニットの前記電位差発生手段は、鉛直面内について、前記読取ユニットの前記キャリッジの走査に伴って前記読取ユニットの前記受光部が移動する領域から離間して配される請求項３に記載の記録読取複合機。
【請求項５】
前記読取ユニットの前記受光部は、前記キャリッジの走査方向に直交する方向に延伸し、原稿からの光を集光する光学素子、および、前記光学素子よりも狭い幅を有し、前記光学素子により集光された光を電気信号に変換する撮像素子を有し、
前記記録ユニットの前記電位差発生手段は、水平面内について、前記読取ユニットの前記キャリッジの走査に伴って前記読取ユニットの前記受光部の前記撮像素子が移動する領域から離間して配される請求項５に記載の記録読取複合機。
【請求項６】
前記記録ユニットの前記電位差発生手段は、鉛直面内について、前記読取ユニットの前記キャリッジの走査に伴って前記読取ユニットの前記受光部の前記撮像素子が移動する領域から離間して配される請求項５に記載の記録読取複合機。
【発明の詳細な説明】
【技術分野】
【０００１】
本発明は、原稿を光学的に読み取る読取ユニット、および、前記読取ユニットに対して上方または下方に配され、被記録物にインクを吐出して記録を行う記録ユニットを備える記録読取複合機に関する。特に、本発明は、記録ユニットに電位差発生手段を設けた記録読取複合機に関する。
【背景技術】
【０００２】
原稿を光学的に読み取る読取ユニット、および、前記読取ユニットの下方に配され、被記録物にインクを吐出して記録を行う記録ユニットを備える記録読取複合機が知られている。この記録読取複合機の記録ユニットにおいて、ノズルプレートの開口から吐出されるインクは一層微細化される傾向にあり、単一のインク滴に着目すると、その大きさは数ｐｌ程度までになっている。このような微細なインク滴は自身の質量が非常に小さいので、ノズルプレートからいったん吐出されると、雰囲気の粘性抵抗等により運動エネルギーを急速に失う。例えば、８ｐｌ未満のインク滴は、大気中で３ｍｍ程度の行程を飛翔すると速度が略ゼロになることが判っている。このように運動エネルギーを失った微細なインクは、重力加速度による落下運動と雰囲気の粘性抵抗力とが殆どつり合い、落下し切るまでに長い時間を要する。落下するまでの間のインク滴は空中に浮遊することになり、これはエアロゾルと呼ばれている。
【０００３】
このようにして発生したエアロゾルは、記録ユニット内の各部に付着する。プラテン等の被記録物の搬送経路にエアロゾルが付着した場合、再付着により次に搬送される被記録物が汚染される。また、記録ユニットに搭載された電気回路、リニアスケール、ロータリエンコーダ、光学センサ等にエアロゾルが付着した場合は、装置自体の誤動作を招く場合もある。更に、エアロゾルが付着したものにユーザが触れると、ユーザの手も汚される。
【０００４】
下記特許文献には、電界によりエアロゾルを能動的に収集する機能を備えた記録ユニットが開示されている。ここに開示された記録ユニットでは、被記録物に付着しなかったインクを付着、吸収させる目的で、ノズルプレートに対向する位置に吸収部材が配置される。また、吸収部材の表面に、一方の電極となる金属部材が配置され、インクを噴射する開口を有する金属製ノズルプレートが他方の電極とされる。
【０００５】
これら電極およびノズルプレートに互いに異なる電圧が印加されると、両者の間に電界が形成される。一方、ノズルプレートから吐出されるインクは、ノズルプレートから吐出される瞬間に、いわゆる避雷針効果によりノズルプレートと同極に帯電する。従って、エアロゾルとなり得るような微小なインク滴も、電界から受けるクーロン力の作用により、減速されることなく電極に向って飛翔し続け、自身の電荷と逆極性の電位にある電極に吸着される。更に、電極に吸着されたインクは、電極に隣接して配置された吸収部材に毛細管現象により吸収される。
【特許文献１】特開２００４−２０２８６７号公報
【発明の開示】
【発明が解決しようとする課題】
【０００６】
上記特許文献において、吸収部材の電極とノズルプレートとの間に電圧をかけるための電位差発生手段が設けられる。この電位差発生手段は、記録読取複合機本体で使用されている電圧、例えば数Ｖの電圧を入力電圧として、この入力電圧を数百Ｖの電圧に昇圧して出力する。この場合に、電位差発生手段は半導体等による発振を用いるので、この発振に伴い電磁波が発生する。この電磁波は、記録読取複合機における読取ユニットの読取ユニットからの電気信号に対してノイズとなるという不具合がある。
【課題を解決するための手段】
【０００７】
上記課題を解決するために、本発明の第１の形態においては、原稿を光学的に読み取る読取ユニット、および、読取ユニットの下方に配され、被記録物にインクを吐出して記録を行う記録ユニットを備える記録読取複合機であって、読取ユニットは、原稿に光を投射する投光部と、原稿からの光を受けて電気的信号に変換する受光部とを有し、記録ユニットは、開口を有する導電性のノズルプレートを有し、開口から被記録物の表面に向かってインクを吐出する記録ヘッドと、被記録物を挟んでノズルプレートに対向した位置に配置され、被記録物の裏面に当接して被記録物を支持するプラテンと、開口からのインクの吐出方向について被記録物よりも遠方に、ノズルプレートに対向して配置され、開口から噴射されながら被記録物に付着しなかった液体を吸収する吸収部材と、吸収部材に隣接して配置された電極と、接続ケーブルを介して電極に結合され、入力電圧よりも大きい電圧を電極に対して印加してノズルプレートおよび電極の間に電位差を発生させる電位差発生手段とを有し、記録ユニットの電位差発生手段は、読取ユニットの受光部から、水平面内において離間して配される。これにより、記録ユニットの電位差発生手段から発生するおそれのあるノイズが読取ユニットの受光部に与える影響を少なくすることができる。
【０００８】
上記記録読取複合機において、記録ユニットの電位差発生手段は、読取ユニットの受光部から、鉛直面内において離間して配されてもよい。これにより、記録ユニットの電位差発生手段から発生するおそれのあるノイズが読取ユニットの受光部に与える影響を、より少なくすることができる。
【０００９】
また、上記記録読取複合機において、読取ユニットは、受光部を搭載し、原稿に対して走査するキャリッジ、および、キャリッジを駆動する駆動部を有し、記録ユニットの電位差発生手段は、水平面内について、読取ユニットの受光部が走査する領域から離間して配されてもよい。この場合に、記録ユニットの電位差発生手段は、鉛直面内について、読取ユニットの受光部が走査する領域から離間して配されてもよい。これにより、記録ユニットの電位差発生手段から発生するおそれのあるノイズが読取ユニットの受光部に与える影響を、さらに少なくすることができる。
【００１０】
さらに、上記記録読取複合機において、読取ユニットの受光部は、キャリッジの走査方向に直交する方向に延伸し、原稿からの光を集光する光学素子、および、光学素子よりも狭い幅を有し、光学素子により集光された光を電気信号に変換する撮像素子を有し、記録ユニットの電位差発生手段は、水平面内について、読取ユニットの受光部の撮像素子が走査する領域から離間して配されてもよい。この場合に、記録ユニットの電位差発生手段は、鉛直面内について、読取ユニットの受光部の撮像素子が走査する領域から離間して配されてもよい。これにより、記録ユニットの電位差発生手段から発生するおそれのあるノイズが読取ユニットの受光部の撮像素子に与える影響を、さらに少なくすることができる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本発明の実施形態のひとつである記録読取複合機１００の外観を示す斜視図である。同図に示すように、この記録読取複合機１００は、記録ユニット１１０と、その上に重ねられた読取ユニット１２０とを備える。
【００１４】
読取ユニット１２０は、記録読取複合機１００全体の上ケース１２２を兼ねた筐体内に形成される。上ケース１２２の上面には、読み取るべき原稿を押せる読取台４０４（図８を参照）が配置され、更に、読取台上の原稿を押さえる原稿押さえを兼ねた上カバー１２４が装備される。
【００１５】
一方、記録ユニット１１０は、記録読取複合機１００全体の下ケース１１２を兼ねた筐体内において、ケース底部１１１の上に形成される。この図では、上ケース１２２の後方に、後述する給送部２１０のペーパサポート２１２が見えている。また、下ケース１１２の前面には、後述する排出部２４０の排出トレイ２４８を裏面に内蔵する前カバー１１４が、閉じた状態で描かれる。
【００１６】
更に、この記録読取複合機１００は、上カバー１２４の前側に、操作パネル１３０を備えている。操作パネル１３０には、表示パネル１３２の他、複数の操作ボタン１３４、パイロットランプ１３６等が設けられ、この記録読取複合機１００をスタンドアローンで動作させる場合に、各種の指示を入力し、また、動作状態等を表示することができる。
【００１７】
上記のような記録読取複合機１００において、上カバー１２４を開いて読取ユニット１２０の上原稿が載せられ、その下面から原稿の画像が光学的に読み取られる。また、ペーパサポート２１２に装入された記録用紙１５０は、記録ユニット１１０の内部を前方に向かって搬送され、インクが吐出されて画像が記録される。なおここで記録用紙１５０は、被記録物の一例である。
【００１８】
図２は、図１に示した記録読取複合機１００の記録ユニット１１０の部分を示す斜視図である。また、図３は、図２の記録ユニット１１０を、上方から見下ろした様子を示す平面図である。同図に示すように、記録ユニット１１０は、ケース底部１１１と、その上に略直立するフレーム２０２と、フレーム２０２の後方に配置された給送部２１０と、フレーム２０２の前方に順次配置された搬送部２２０、プラテン２３０および排出部２４０とを備えている。
【００１９】
給送部２１０は、縦に装入された記録用紙１５０の背面を支持するペーパサポート２１２と、記録用紙１５０の図上右側の側端部を位置決めするサイドサポート２１４と、記録用紙１５０の図上左側の側端部に当接して記録用紙１５０の傾きを防止するスライドサポート２１６とを備える。スライドサポート２１６は、ペーパサポート２１２の表面で水平に移動させることができ、幅が異なる記録用紙１５０が装入された場合も、記録用紙１５０の側端部に当接させることができる。給送部２１０は更に、フレーム２０２に隠れた給送ローラ２１８等を備え、記録ユニット１１０が記録動作する場合に、ペーパサポート２１２に装入された複数の記録用紙１５０を１枚ずつ取り込む。
【００２０】
なお、記録ユニット１１０は、後述する排出トレイ２４８の下方にも、前面に開口した水平なペーパサポート２１１を備える。このペーパサポート２１１は、記録ユニット１１０の前方から水平に装入された記録用紙１５０を下方から支持する。また、ペーパサポート２１１に装入された記録用紙１５０も、給送部２１０を利用して搬送部２２０に記録用紙１５０を送り込むことができる。なお、ペーパサポート２１１は延長部２１３を備え、ペーパサポート２１０自体の奥行きよりも長い記録用紙１５０も支持できる。
【００２１】
搬送部２２０は、フレーム２０２の直前に配置され、取り込まれた記録用紙１５０の上面に当接して連れ回される搬送従動ローラ２２４を備えている。搬送従動ローラ２２４の直下には、図示されていない搬送モータにより回転駆動される搬送駆動ローラが配置される。従って、記録ユニット１１０に取り込まれた記録用紙１５０は、搬送従動ローラ２２４により搬送駆動ローラに押し付けられ、搬送駆動ローラの回転に従ってプラテン２３０の上に送り込まれる。
【００２２】
プラテン２３０は、上方に向かって突出した複数のリブ２３４を備える。リブ２３４は、送り込まれた記録用紙１５０の下面にその先端を当接させ、記録用紙１５０の高さ方向の位置決めをする。プラテン２３０の上方を通り過ぎた記録用紙１５０は、やがて排出部２４０に到達する。
【００２３】
排出部２４０は、プラテン２３０の前側に配置され、プラテン２３０上を通過して送り込まれた記録用紙１５０に対して、その上面に当接して連れ回される排出従動ローラ２４４を備えている。排出従動ローラ２４４の直下には、図示されていな回転伝達機構を介して搬送モータにより回転駆動された排出駆動ローラが配置される。記録用紙１５０は、排出従動ローラ２４４により搬送駆動ローラに押し付けられ、排出駆動ローラの回転に従って記録用紙１５０を記録ユニット１１０の前方に送り出す。排出部２４０の前側には、排出トレイ２４８が配置され、記録ユニット１１０の外部に排出された記録用紙１５０は排出トレイ２４８の上に蓄積される。
【００２４】
更に、記録ユニット１１０は、プラテン２３０の上方で往復移動するキャリッジ２５０を備える。即ち、キャリッジ２５０は、フレーム２０２の前面側に設けられた長手方向に延びる案内部材（不図示）に沿って、長手方向に水平に移動できるように装着される。また、フレーム２０２の前面には、一対のプーリ２５１の間に張り渡されたタイミングベルト２５３が配置される。更に、キャリッジ２５０は、その背面においてタイミングベルト２５３に連結される。
【００２５】
一方、プーリ２５１の一方はキャリッジモータ２５５により回転駆動されるので、キャリッジ２５０は、タイミングベルト２５３の変位に従って移動する。従って、キャリッジモータ２５５の動作と回転方向を制御することにより、キャリッジ２５０を、プラテン２３０上で任意の領域の上方に移動させることができる。また、キャリッジ２５０は、その下面に、ノズルプレート２５２を含む記録ヘッド（不図示）を備える。従って、キャリッジ２５０は、プラテン２３０上の任意の領域に向かってインクを吐出させることができる。
【００２６】
以上のような構造を有する記録ユニット１１０を備えた記録読取複合機１００においては、前方のペーパサポート２１１または後方のペーパサポート２１２に装入された記録用紙１５０が、給送部２１０により１枚ずつ搬送部２２０に取り込まれる。搬送部２２０に取り込まれた記録用紙１５０は、プラテン２３０の上方を通過して排出部２４０に到達し、排出部２４０により記録ユニット１１０の外部に送り出される。
【００２７】
また、記録用紙１５０がプラテン２３０の上方に存在しているとき、キャリッジ２５０はプラテン２３０上を往復移動しつつ、下方に向かってインクを吐出する。従って、記録用紙１５０表面の任意の領域に対してインクを吐出して付着させることができる。更に、記録用紙１５０を１行分ずつ間欠的に搬送する一方、搬送が中断している期間にキャリッジ２５０を往復移動させることにより、記録用紙１５０の表面全体に画像を記録することができる。
【００２８】
なお、フレーム２０２の背面には、上記のような一連の記録動作を制御する制御部２６０が搭載される。制御部２６０は、この記録読取複合機１００に接続された情報処理装置等を介して入力された指示、あるいは、操作パネル１３０から入力された指示に基づき、記録ユニット１１０が適切な動作をするように制御する。また、制御部２６０は、この記録ユニット１１０が記録する画像情報を受け取るインターフェースでもある。制御部２６０が受け取る画像情報は、当該画像を表す情報の他に、記録画像の解像度、色数等の記録品質、寸法、材質等の被記録物情報も含む場合がある。
【００２９】
更に、図２および図３に示す記録ユニット１１０は、後述する電界形成のための高電圧を発生する電位差発生手段２７０を、フレーム２０２の上端左側に備えている。フレーム２０２の上端は、重力加速度方向について、この記録ユニット１１０においてカバーを除けば最も高い位置である。従って、この電位差発生手段２７０に対する接続ケーブル４３０は、電位差発生手段２７０から常に低い方に向かって配線される。
【００３０】
図４は、プラテン２３０の詳細な構造を示す分解斜視図である。同図に示すように、プラテン２３０は、プラテン本体２３２と、プラテン本体２３２に収容された電極３１０および吸収部材２３６、２３８とを備える。
【００３１】
プラテン本体２３２は樹脂材料により一体成形され、その上面から上方に向かって突出した複数のリブ２３４と、上面から陥没して、底部２３１および側壁部２３３を含んで形成された幅の広い収容部２３５と、リブ２３４の形成された領域の側方に形成された幅の狭い収容部２３７とを備える。このプラテン２３０の上方を記録用紙１５０が通過する場合は、リブ２３４の上端が記録用紙１５０の下面に当接して、記録用紙１５０の高さ方向の位置決めをする。
【００３２】
また、吸収部材２３６、２３８は、プラテン本体２３２、２３７内を充填する寸法を有する。また、吸収部材２３６、２３８は、その表面における液体の吸収速度を重視して材料が選択される。このため、吸収部材２３６、２３８が保持できるインクの量には限りがある。そこで、これらの吸収部材２３６および２３８よりも容量が大きな廃液吸収部材が、プラテン２３０の下方に別途配置される場合もある。
【００３３】
更に、このプラテン２３０は、幅の広い収容部２３５の内部において、吸収部材２３６の下に電極３１０を備える。電極３１０は、収容部２３５の底部２３１を概ね覆うように配置される。また、電極３１０の一端には、収容部２３５の側壁部２３３を乗り越えて外部に延在する連結部３１２と、プラテン２３０の外側に露出した端子部３１４とが一体に形成される。この端子部３１４を介して、制御部２６０の制御の下に動作する電位差発生手段２７０の一端に接続することにより、電極３１０に電圧を印加することができる。電位差発生手段２７０の他端は、キャリッジ２５０に装備されたノズルプレート２５２に接続され、これにより、ノズルプレート２５２および電極３１０の間に電位差を生じさせ、電界を形成させることができる。
【００３４】
なお、上記の吸収部材２３６、２３８の材料として、ポリエチレン、ポリウレタン等の樹脂材料を発泡させたものを用いてもよい。また、吸収部材２３６を電極３１０と同電位とすることを目的として、表面抵抗が１０８Ω以下となるような導電性の材料により形成することも好ましい。このような材料としては、ポリエチレン、ポリウレタン等の樹脂に金属、炭素等の導電性材料を混入した上で発泡させたもの、ポリエチレン、ポリウレタン等の樹脂発泡材に金属、炭素等の導電性材料を付着させたもの、または、メッキしたもの等を例示できる。また、ポリエチレン、ポリウレタン等の樹脂発泡材に電解質溶液を含浸させたものを用いることもできる。
【００３５】
一方、電極３１０の材料としては、インクに対して耐食性のある金属、例えば金、ステンレスまたはニッケルの線材、板材または箔材、あるいは、これらの金属でメッキした線材、板材または箔材、若しくは、これらの材料を組み合わせた網状または格子状の部材で形成できる。また、他の態様として、プラテン２３０の収容部２３５の底部２３１に直接形成した導電性の塗膜層、メッキ層、厚膜層、薄膜層等を電極３１０として使用することもできる。
【００３６】
図５は、記録ユニット１１０のエアロゾル収集機構３００の構造と動作を説明する模式図である。また、図６は電位差発生手段２７０の一例を示す回路図であり、図７は電位差発生手段２７０の他例を示す回路図である。図５に示すように、エアロゾル収集機構３００は、電位差発生手段２７０と、この電位差発生手段２７０を制御する制御部２６０と、電位差発生手段２７０に電気的に接続される電極３１０とを有する。
【００３７】
図６および図７に示すように、電位差発生手段２７０は、記録読取複合機１００の内部で用いられている直流電圧Ｖｃｃを入力電圧として、この入力電圧をより高い直流電圧に昇圧して出力する昇圧回路である。
【００３８】
また、インクを吐出する開口２５４を有するノズルプレート２５２は、例えば金属製で、導電性を有する。また、ノズルプレート２５２は、電位差発生手段２７０の負極に接続される。一方、電位差発生手段２７０の正極は、プラテン２３０に収容された電極３１０に接続される。また、電極３１０に重ねてプラテン２３０に収容された吸収部材２３６は導電性を有するので、吸収部材２３６全体が電極３１０と同じ電位になる。従って、電位差発生手段２７０の発生した電位差による電界Ｅは、ノズルプレート２５２の下面と吸収部材２３６の表面との間に均一に形成される。なお、すべての極性を反転させて接続しても同様の機能が実現できる。
【００３９】
記録動作におけるノズルプレート２５２は、開口２５４を通じてインク３１１を下方に吐出する。ここで、開口２５４の直下に記録用紙１５０が存在している場合は、吐出されたインク３１１が記録用紙１５０の上面に付着して画像３１９を形成する。一方、記録用紙１５０の縁部に余白無くインク３１１を付着させようとした場合、記録用紙１５０の側縁部並びに先端および後端において、一部の開口２５４の直下に記録用紙１５０が存在しない場合がある。
【００４０】
このような場合、開口２５４から吐出することによって生じたインク滴３１７に与えられた運動エネルギーは雰囲気の粘性抵抗により急速に失われる。このため、一部のインク滴３１７、導電性吸収部材２３６に到達する遥か前にその運動エネルギーを失う。インク滴３１７の質量は非常に小さいので、運動エネルギーを失うと、重力加速度による落下運動と雰囲気による粘性抵抗力とが殆どつり合い、以降の落下速度が極めて遅くなる。このようにして、ノズルプレート２５２の下方に浮遊するエアロゾルが発生する。また、インク滴３１７の一部がちぎれて一段と微細なインク滴であるサテライト・インク３１５が生じる場合があり、これもエアロゾルとなる。
【００４１】
しかしながら、このエアロゾル収集機構３００では、既に説明した通り、吸収部材２３６の表面とノズルプレート２５２の下面との間に電界Ｅが形成されている。従って、電荷ｑを有するインク滴３１７は、電界Ｅから受けるクーロン力Ｆｅ（ｑＥ）により運動エネルギーを得、減速されることなく下方に移動して吸収部材２３６に到達する。
【００４２】
なお、開口２５４から押し出されるインク３１１は、ノズルプレート２５２から離脱してインク滴３１７となる直前の瞬間に、ノズルプレート２５２から下垂するインク柱３１３を形成する。このとき、インク柱３１３の先端Ａとノズルプレート２５２の下面におけるインク柱３１３付近の領域Ｂとの間に、いわゆる避雷針効果により電荷が蓄積される。この避雷針効果により、インク滴３１７は、インク柱３１３の水平断面積に対応する電荷よりも大きな電荷ｑで帯電する。なお、避雷針効果は、インク柱３１３の先端Ａ（図中では下端）を頂点とする頂角５０°から６０°の円錐形で包囲されるノズルプレート２５２表面の領域Ｂがインク滴３１７の帯電に寄与する現象をいう。これにより、インク滴３１７はより大きなクーロン力を受け、その運動量を失うことなく電界Ｅ内を吸収部材２３６まで飛翔する。
【００４３】
図８は、読取ユニット１２０の外観を示す斜視図である。読取ユニット１２０は、読取ユニット本体４０２と、この読取ユニット本体４０２に取り付けられた透明の原稿台４０４と、この原稿台４０４に対して回動する上カバー１２４と、読み取りユニット本体４０２内に収容され、一方向（図中の矢印Ｆ方向）に走査するキャリッジ５００とを有する。
【００４４】
図９は、キャリッジ５００およびこのキャリッジに搭載される受光部等を示す斜視図であり、図１０は、図９のキャリッジ５００における読み取り動作を説明する概略図である。図９および図１０に示すように、キャリッジ５００には、投光部５１０および撮像素子６００が搭載される。投光部５１０の例は、水銀灯およびＬＥＤである。また、撮像素子６００は光信号を電気的な信号に変換し、その一例は、キャリッジ５００の走査の方向に直交する方向かつ原稿の面方向について（図１０における紙面の前後方向について）並べられた複数のＣＣＤ素子である。なお撮像素子６００における、走査に直交する方向かつ原稿の面に垂直な方向の幅は、投光部５１０および原稿台４０４の同方向の幅よりも小さい。
【００４５】
キャリッジ５００にはさらに、第一ミラー６１０、第二ミラー６１２、第三ミラー６１４、第四ミラー６１６および集光レンズ６１８が搭載される。これら第一ミラー６１０、第二ミラー６１２、第三ミラー６１４、第四ミラー６１６および集光レンズ６１８は光学素子の一例である。また、これら光学素子および上記撮像素子６００は受光部の一例である。キャリッジ５００にはさらに軸受５２０が配される。
【００４６】
ここで、図１０に示すように、投光部５１０は原稿に向けて（図中上方）、光を投射する。第一ミラー６１０、第二ミラー６１２、第三ミラー６１４および第四ミラー６１６は、原稿から反射した光を反射して光の方向を変えつつ、キャリッジ５００の走査の方向に直交する方向かつ原稿の面方向について（図１０における紙面の前後方向について）反射光を集光して集光レンズ６１８に入射させる。さらに、集光レンズ６１８は、反射光を撮像素子６００に向けて集光する。撮像素子６００は、入射した光の強度に基づいた電気信号を出力する。
【００４７】
図１１および図１２は、読取ユニット１２０においてキャリッジ５００が原稿に対して走査する領域を説明する部分平面図である。図１１および図１２に示すように、読取ユニット１２０はさらに、キャリッジ５００が走査する方向の一端近傍に配されたキャリッジモータ５３０、ベルト５３２およびプーリ５３４と、他端近傍に配されたプーリ５３６と、走査の方向に沿って延伸するガイド軸５４０およびベルト５３８とを有する。これらキャリッジモータ５３０、ベルト５３２、５３８、プーリ５３４、５３６およびガイド軸５４０は駆動部の一例である。
【００４８】
ここで、ベルト５３２は、キャリッジモータ５３０とベルト５３２との間に掛け渡される。また、ベルト５３８はプーリ５３４、５３６の間に掛け渡されると共に、一部がキャリッジ５００に固定される。これにより、キャリッジモータ５３０の回転駆動力が、ベルト５３２、プーリ５３４およびベルト５３８の順に伝わり、ベルト５３８がキャリッジ５００を駆動する。この場合に、キャリッジ５００の軸受５２０にガイド軸５４０が挿入されているので、このガイド軸５４０の延伸方向に沿って、キャリッジ５００が一端（図１１に示す位置）と他端（図１２に示す位置）との間を移動する。これにより、原稿台４０４上に置かれた原稿に対してキャリッジ５００が走査しつつ、撮像素子６００が原稿からの反射光を原稿全体に渡って受光して、電気信号に変換する。
【００４９】
ここで、撮像素子６００は電気信号を扱うので、当該撮像素子６００に対して外部から電磁波が照射されると当該電気信号に対するノイズとなる。電磁波を放射するおそれのある発生源として、記録ユニット１１０の電位差発生手段２７０が挙げられる。そこで、本実施形態においては、電位差発生手段２７０は、撮像素子６００から水平面内（図１１における紙面内）において、離間して配される。この場合に、当該電位差発生手段２７０は、水平面内について、キャリッジ５００の走査に伴って撮像素子６００が移動する領域から離間して配される。これにより、電位差発生手段２７０から放射されるおそれがある電磁波が撮像素子６００に与える影響を低減することができる。
【００５０】
図１３は、記録読取複合機１００のカバーをはずして正面から見た正面図である。図１３に示すように、電位差発生手段２７０は、撮像素子６００から鉛直面内（図１３における紙面内）において、離間して配される。この場合に、当該電位差発生手段２７０は、鉛直面内について、キャリッジ５００の走査に伴って撮像素子６００が移動する領域から離間して配される。これにより、電位差発生手段２７０から放射されるおそれがある電磁波が撮像素子６００に与える影響をさらに低減することができる。
【００５１】
以上、本実施形態によれば、電位差発生手段２７０から放射されるおそれがある電磁波が撮像素子６００に与える影響を低減することができる。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５３】
【図１】記録読取複合機１００の全体を概観する斜視図である。
【図２】記録ユニット１１０の部分を示す斜視図である。
【図３】記録ユニット１１０を上方から見た様子を示す平面図である。
【図４】プラテン２３０単独の構造を示す分解斜視図である。
【図５】エアロゾル収集機構３００の動作を説明する概念図である。
【図６】電位差発生手段２７０の一例を示す回路図である。
【図７】電位差発生手段２７０の他例を示す回路図である。
【図８】読取ユニット１２０の外観を示す斜視図である。
【図９】キャリッジ５００およびこのキャリッジ５００に搭載される受光部等を示す斜視図である。
【図１０】図９のキャリッジ５００における読み取り動作を説明する概略図である。
【図１１】読取ユニット１２０においてキャリッジ５００が原稿に対して走査する領域を説明する部分平面図である。
【図１２】読取ユニット１２０においてキャリッジ５００が原稿に対して走査する領域を説明する部分平面図である。
【図１３】記録読取複合機１００のカバーをはずして正面から見た正面図である。
【符号の説明】
【００５４】
１００  記録読取複合機、１１０  記録ユニット、１１１  ケース底部、１１２  下ケース、１１４  前カバー、１２０  読取ユニット、１２２  上ケース、１２４  上カバー、１３０  操作パネル、１３２  表示パネル、１３４  操作ボタン、１３６  パイロットランプ、１５０  記録用紙、２０２  フレーム、２１０  給送部、２１１、２１２  ペーパサポート、２１３  延長部、２１４  サイドサポート、２１６  スライドサポート、２１８  給送ローラ、２２０  搬送部、２２４  搬送従動ローラ、２３０  プラテン、２３１  底部、２３２  プラテン本体、２３３  側壁部、２３４  リブ、２３５、２３７  収容部、２３６、２３８  吸収部材、２４０  排出部、２４４  排出従動ローラ、２４８  排出トレイ、２５０  キャリッジ、２５１  プーリ、２５２  ノズルプレート、２５３  タイミングベルト、２５４  開口、２５５  キャリッジモータ、２６０  制御部、２７０  電位差発生手段、３００  エアロゾル収集機構、３１０  電極、３１１  インク、３１２  連結部、３１３  インク柱、３１４  端子部、３１５  サテライト・インク、３１７  インク滴、３１９  画像、４０２  読取ユニット本体、４０４  原稿台、５００  キャリッジ、５１０  投光部、５２０  軸受、５３０  キャリッジモータ、５３２  ベルト、５３４  プーリ、５３６  プーリ、５３８  ベルト、５４０  ガイド軸、６００  撮像素子、６１０  第一ミラー、６１２  第二ミラー、６１４  第三ミラー、６１６  第四ミラー、６１８  集光レンズ
【図１】
2008085389.tif 000003
【図２】
2008085389.tif 000004
【図３】
2008085389.tif 000005
【図４】
2008085389.tif 000006
【図５】
2008085389.tif 000007
【図６】
2008085389.tif 000008
【図７】
2008085389.tif 000009
【図８】
2008085389.tif 000010
【図９】
2008085389.tif 000011
【図１０】
2008085389.tif 000012
【図１１】
2008085389.tif 000013
【図１２】
2008085389.tif 000014
【図１３】
2008085389.tif 000015